(57)【特許請求の範囲】
【請求項１】
収納穴と収納穴を貫通する複数の第１端子溝及び第２端子溝とが形成される絶縁性本体と、
前記第１端子溝に挿入されて前記絶縁性本体に固着され、第１接触ビームと該第１接触ビームに対向する第１枢支ビームとを含む複数の第１導電端子と、
前記第２端子溝に挿入されて前記絶縁性本体に固着され、第２接触ビームと該第２接触ビームに対向する第２枢支ビームとを含む複数の第２導電端子と、
前記絶縁性本体に取り付けられ、前記第１枢支ビーム及び前記第２枢支ビームに対応する第１貫通溝及び第２貫通溝と前記第１貫通溝及び前記第２貫通溝に設けられる複数の軸部とを含む回転板と、
を備え、前記第１枢支ビームには前記軸部を収納する凹部が形成され、前記第２枢支ビームの前端には前記軸部に対応するプラットホームが設けられ、前記第１貫通溝に設けられる前記軸部が円状の回転軸であり、前記第２貫通溝に設けられる前記軸部がカム形状のカム部であること特徴とする電気コネクタ。
【請求項２】
前記第１導電端子が回転軸と係合し、前記第２導電端子がカム部と係合することを特徴とする請求項１に記載の電気コネクタ。
【請求項３】
前記各回転軸と各カム部とは、互いに隣接することを特徴とする請求項１又は請求項２に記載の電気コネクタ。
【請求項４】
前記回転軸の断面積はカム部の断面積より小さいことを特徴とする請求項３に記載の電気コネクタ。
【請求項５】
前記プラットホームは、前記第２導電端子の前記第２枢支ビームの前端に延在して軸部を制限しないことを特徴とする請求項１又は請求項２項に記載の電気コネクタ。
【請求項６】
前記回転板の両端には第２軸部が設けられ、前記電気コネクタは、前記回転板の前記第２軸部と係合して前記回転板を前記絶縁性本体に固定する固定部材を含むことを特徴とする請求項５に記載の電気コネクタ。
【請求項７】
前記回転板が開いた状態から閉じた状態まで回転でき、回転板が閉じた状態における時、前記第１枢支ビームに対応する前記軸部は対応する前記凹部を接触しないことを特徴とする請求項１に記載の電気コネクタ。
【発明の詳細な説明】
【技術分野】
【０００１】
本発明は、電気コネクタに関し、特に、ＦＰＣ（Flexible Printed Circuit、ＦＦＣ等と一般に呼ばれている平型柔軟ケーブル（この明細書では、これらを総称して単に「ＦＰＣ」という））をプリント基板に接続するために用いられるＦＰＣ用電気コネクタに関するものである。
【背景技術】
【０００２】
従来技術の電気コネクタは、絶縁性本体と、前記絶縁性本体に固着される複数の導電端子と、前記絶縁性本体に装着される回転板と、を備える。前記絶縁性本体には、ＦＰＣを収納する収納穴及び導電端子を挿入する複数の端子溝が形成される。各導電端子は、収納穴に向かって延在する接触ビームと、前記接触ビームに対向する枢支ビームと、を具備する。各枢支ビームには凹部が形成される。前記回転板には、前記凹部に嵌め込まれる楕円状の回転軸が設けられる。
【特許文献１】米国特許第６，０９９，３４６号明細書
【発明の開示】
【発明が解決しようとする課題】
【０００３】
そこで、前記電気コネクタの導電端子が絶縁性本体に組み合わせる場合、全部の導電端子の凹部は、予定の位置に固定されることを確保できない。一部分の導電端子が予定の位置から離れる位置で固定されると、回転板は導電端子によって妨げられて絶縁性本体に装着されることが難しい。回転板がたとえ絶縁性本体に装着されるとしても、前記回転板が回転することは難しい。上述した欠点に鑑みて、新型の電気コネクタを開発することが必要である。
【０００４】
そこで本発明の目的は、回転板によって絶縁性本体に容易に装着可能な電気コネクタを提供することにある。
【課題を解決するための手段】
【０００５】
前記目的を達成するために、本発明の電気コネクタは、複数の第１端子溝及び第２端子溝が形成される絶縁性本体と、複数の第１導電端子及び第２導電端子と、前記絶縁性本体に取り付けられる回転板と、を備える。絶縁性本体には、収納穴と収納穴を貫通する複数の第１端子溝及び第２端子溝とが形成される。第１導電端子は、前記第１端子溝に挿入されて絶縁性本体に固着され、第１接触ビームと該第１接触ビームに対向する第１枢支ビームとを備える。第２導電端子は、前記第２端子溝に挿入されて絶縁性本体に固着され、第２接触ビームと該第２接触ビームに対向する第２枢支ビームとを備える。回転板は、第１枢支ビーム及び第２枢支ビームを対応する第１貫通溝及び第２貫通溝と前記第１貫通溝及び前記第２貫通溝に設けられる複数の軸部とを備える。前記第１枢支ビームには、軸部を収納する凹部が形成される。前記第２枢支ビームの前端には、軸部に対応するプラットホームが設けられる。
【発明の効果】
【０００６】
従来の技術に比べると、本発明は以下の長所がある。本発明の装着された導電端子は一直線に合わせなくても、第２導電端子の前端に設けられるプラットホームによって、軸部は、部材に制限されずに、第２導電端子の第２枢支ビームに容易に装着される。これにより、回転板は、絶縁性本体に容易に固着される。
【発明を実施するための最良の形態】
【０００７】
図１〜図５に基づいて、本発明の電気コネクタは、相手ＦＰＣ（図示せず）が挿入される絶縁性本体１と、絶縁性本体１に固着される複数の第１導電端子２及び第２導電端子３と、絶縁性本体１に取り付けられる回転板４と、絶縁性本体１に装着される一対の固定部材５と、を備える。
【０００８】
図２及び図３に示すように、絶縁性本体１は、基部１０と、基部１０から水平に延出する舌状部１６と、相手ＦＰＣを収納する収納穴１４と、基部１０の両端に形成されて基部１０を貫通する一対の固定穴１７と、を備える。基部１０は、天板部１１と、天板部１１の両側から垂下している一対の側面部１３と、を備える。舌状部１６は底部１２を有する。舌状部１６の上表面には、収納穴１４を貫通する複数の端子溝１５が形成される。収納穴１４は、舌状部１６と一対の側面部１３の間に形成される。
【０００９】
図４に示すように、各第１導電端子２は、金属材料から製造され、第１主体部２０と、第１主体部２０から前向きに延在する第１接触ビーム２１と、第１接触ビーム２１に対向する第１枢支ビーム２２と、第１主体部２０から後向きに延在する第１半田接続ビーム２３と、を備える。第１接触ビーム２１には、収納穴１４に向かって突出する第１接触部２１０が設けられる。第１枢支ビーム２２の端部には、凹部２２０が形成される。
【００１０】
図５に示すように、各第２導電端子３は、金属材料から製造され、第２主体部３０と、第２主体部３０から前向きに延在する第２接触ビーム３１と、第２接触ビーム３１に対向する第２枢支ビーム３２と、第２主体部３０から後向きに延在する第２半田接続ビーム３３と、を備える。第２接触ビーム３１には、収納穴１４に向かって突出する第２接触部３１０が設けられる。第２枢支ビーム３２の前端には、前向きに延在するプラットホーム３２０が設けられる。
【００１１】
図３に示すように、回転板４は、板状部４１と、両端に軸部４２０が設けられる係合部４２とを備える。係合部４２には、第１枢支ビーム２２及び第２枢支ビーム３２を収納する第１貫通溝４２１及び第２貫通溝４２４が形成される。第１貫通溝４２１には、それぞれ第１導電端子２の凹部２２０に係合される回転軸４２２が設けられる。回転軸４２２の断面は、円状に形成される。第２貫通溝４２４には、それぞれ第２導電端子３のプラットホーム３２０に係合されるカム形状のカム部４２３が設けられる。各回転軸４２２と各カム部４２３とは互いに隣接する。カム部４２３の断面積は、回転軸４２２の断面積より大きい。
【００１２】
各固定部材５は、頂端が略Ｕ字形状のように折り曲げる主体部５０及び主体部５０から延在する延在ビーム５１を有する。
【００１３】
図１、図２に示すように、電気コネクタの組み立て時、複数の第１導電端子２及び第２導電端子３が、絶縁性本体１の対応する端子溝１５に挿入される。第１接触部２１０及び第２接触部３１０は、収納穴１４に向かって突設する。第１半田接続ビーム２３及び第２半田接続ビーム３３は、絶縁性本体１の後部から外へ延在して回路基板（図示せず）に半田付けにより接続される。次に、回転板４及び固定部材５は、絶縁性本体１に装着される。回転板４の一対の軸部４２０は、固定部材５の延在ビーム５１に支持されて主体部５０に当接される。一対の延在ビーム５１は、絶縁性本体１の一対の貫通穴１７に挿入される。これにより、回転板４は、固定部材５によって、絶縁性本体１に固着される。第１、第２導電端子２、３の第１、第２枢支ビーム２２，３２は、回転板４の第１貫通溝４２１及び第２貫通溝４２４に収納される。固定部材５の主体部５０は、回路基板に半田付けによって接続される。
【００１４】
一体に形成される電気コネクタが使用される場合、回転板４は開いた状態から閉じた状態まで回転させる。回転板４が絶縁性本体１と直交するように開いた状態である時、相手ＦＰＣが絶縁性本体１の収納穴１４に挿入される。回転板４が絶縁性本体１と平行するように閉じた状態まで回転する時、回転板４のカム部４２３は相手ＦＰＣを押圧する。押圧される相手ＦＰＣは、第１導電端子２及び第２導電端子３の第１接触部２１０及び第２接触部３１０とそれぞれ接触する。回転板４が閉じた状態に位置する時、カム部４２３より小さい回転軸４２２が凹部２２０を接触せずに回転板４を制限することによって、回転板４が絶縁性本体１から外れることを防止できる。
【００１５】
他の実施状態において、回転軸４２２の断面は、円状に形成されず、ただドーム形状の部分を具備してもよい。又、回転軸４２２とカム部４２３とは、全部、円状又はカム形状に形成すればよい。
【００１６】
装着された複数の第２導電端子３が一直線に合わせなくても、カム部４２３は、プラットホーム３２０が阻止されないことによって、第２導電端子３の第２枢支ビーム３２の下に装入できる。
【００１７】
以上、本発明について好ましい実施形態を参照して詳細に説明したが、実施形態はあくまでも例示的なものであり、これらに限定されるものではない。また上述の説明は、本発明に基づき成し得る細部の修正又は変更などは、いずれも本発明の技術的範囲に属するものである。
【図面の簡単な説明】
【００１８】
【図１】本発明における組み立てられた電気コネクタの斜視図である。
【図２】図１に示す電気コネクタの他の組立斜視図である。
【図３】図１に示す電気コネクタの分解斜視図である。
【図４】図１に示す電気コネクタのIV―IV線で切断した断面図である。
【図５】図１に示す電気コネクタのV−V線で切断した断面図である。
【符号の説明】
【００１９】
１  絶縁性本体
２  第１導電端子
３  第２導電端子
４  回転板
５  固定部材
１０  基部
１１  天板部
１２  底部
１３  側面部
１４  収納穴
１５  端子溝
１６  舌状部
１７  固定穴
２０  主体部
２１  第１接触ビーム
２２  第１枢支ビーム
２３  第１半田接続ビーム
３０  第２主体部
３１  第２接触ビーム
３２  第２枢支ビーム
３３  第２半田接続ビーム
４１  板状部
４２  係合部
５０  主体部
５１  延在ビーム
２１０  第１接触部
２２０  凹部
３１０  第２接触部
３２０  プラットホーム
４２０  軸部
４２１  第１貫通溝
４２２  回転軸
４２３  カム部
４２４  第２貫通溝
【図１】
0004637137.tif 000002
【図２】
0004637137.tif 000003
【図３】
0004637137.tif 000004
【図４】
0004637137.tif 000005
【図５】
0004637137.tif 000006